(57)【要約】【課題】ユーザの要望に応じて拡大表示させたい対象をズーム領域に含める。【解決手段】子器１には、撮像部１０と、撮像部１０で撮像された撮像画像からズーム領域の画像を切り出す切出し部１１とが設けられ、親機２には、指定可能な複数のズーム領域の中からいずれか１つのズーム領域を指定するズーム領域指定部２２と、撮像画像を表示するとともに切出し部１１で切り出されたズーム領域を拡大表示するモニタ画面２１０を有する画像表示部２１と、上記ズーム領域の画像をモニタ画面２１０に拡大表示させるように制御する制御部２３とが設けられている。制御部２３は、複数のズーム領域を、第１の基準線からの上下方向の距離が長くなるにつれて、隣接する２つのズーム領域の中心間隔を狭め、第２の基準線からの左右方向の距離が長くなるにつれて、隣接する２つのズーム領域の中心間隔を狭めるように設定する。【選択図】図１
2008294842.tif 000002
【特許請求の範囲】
【請求項１】
撮像手段と、
前記撮像手段で撮像された撮像画像を表示するモニタ画面と、
前記モニタ画面内にそれぞれが異なる中心位置となるように設けられ同じ大きさを有する複数のズーム領域の中からいずれか１つのズーム領域を指定するズーム領域指定手段と、
前記ズーム領域指定手段で指定されたズーム領域の画像を前記撮像画像から切り出す切出し手段と、
前記切出し手段で切り出されたズーム領域の画像を前記モニタ画面に拡大表示させる表示制御手段と
を備え、
前記モニタ画面内に設けられた前記複数のズーム領域が、前記モニタ画面内の基準点を通って左右方向に延びる第１の基準線からの上下方向の距離に応じて、隣接する２つのズーム領域の中心間隔を異ならせるとともに、前記基準点を通って上下方向に延びる第２の基準線からの左右方向の距離に応じて、隣接する２つのズーム領域の中心間隔を異ならせるように設定される
ことを特徴とするテレビインターホン。
【請求項２】
前記撮像手段が広角レンズを有し、
前記基準点が前記撮像手段の光軸となる点であり、
前記第１の基準線からの上下方向の距離が長くなるにつれて、前記隣接する２つのズーム領域の中心間隔を狭めるとともに、前記第２の基準線からの左右方向の距離が長くなるにつれて、前記隣接する２つのズーム領域の中心間隔を狭める
ことを特徴とする請求項１記載のテレビインターホン。
【請求項３】
前記第１の基準線からの上下方向の距離が長くなるにつれて、前記隣接する２つのズーム領域の中心間隔を広げるとともに、前記第２の基準線からの左右方向の距離が長くなるにつれて、前記隣接する２つのズーム領域の中心間隔を広げることを特徴とする請求項１記載のテレビインターホン。
【請求項４】
前記基準点の位置を設定する設定手段を備えることを特徴とする請求項３記載のテレビインターホン。
【発明の詳細な説明】
【技術分野】
【０００１】
本発明は、撮像画像の一部を拡大表示するテレビインターホンに関するものである。
【背景技術】
【０００２】
従来のテレビインターホンとして、特許文献１には、撮像機能を有する子器と、子器で撮像された撮像画像を表示するモニタ画面を有する親機とを備えるパンチルトズーム型のテレビインターホンが開示されている。このような構成のテレビインターホンは、撮像画像が表示されるモニタ画面内に設けられた複数のズーム領域の中から、ユーザの操作によってズーム領域（ズーム位置）を指定し、指定したズーム領域の画像を撮像画像から切り出してモニタ画面に拡大表示する。
【０００３】
なお、上記のような機能を有するテレビインターホンとして、特許文献２にはテレビドアホン装置が開示されている。特許文献２のテレビドアホン装置も、パンチルトボタンで指定された領域を切り取って拡大することができる。
【０００４】
ところで、従来のテレビインターホンを用いて、ユーザが所望のズーム領域を指定する際に、ズーム領域を画素単位レベルで細かく移動させて設定することも可能であるが、移動距離が細かすぎると所望のズーム領域へ移動させるのに時間がかかってしまい、ユーザにとって使いにくいという問題があった。
【０００５】
このため、指定可能なズーム領域をモニタ画面内のうち複数個（例えばｍ×ｎ個）の固定位置に予め限定し、これらのズーム領域の間で上下左右に移動させることによって、所望のズーム領域を指定するものが開発されている。ここで、図６には、ズーム倍率２倍、指定可能なズーム領域３×３個の場合の例を示している。図６の「×」は、指定可能なズーム領域の各中心点であり、点線は各ズーム領域を示している。指定可能な複数のズーム領域は、隣接する２つのズーム領域の中心間隔が等間隔になるように設定されている。
【特許文献１】特開平６−３８２１４号公報（段落０００６及び図１，２）
【特許文献２】特開２００６−１０１３２７号公報（段落００２６及び図１）
【発明の開示】
【発明が解決しようとする課題】
【０００６】
ところで、従来のテレビインターホンは、モニタ画面内においてズーム領域を画素単位レベルで連続的に移動させることができないことから、拡大表示させたい対象の一部をいずれかのズーム領域に含めることまではできるものの、上記対象の全てをいずれかのズーム領域に含めることができない場合が発生する。このようなテレビインターホンに対し、モニタ画面内の全ての位置において、拡大表示させたい対象の全てをズーム領域に含めることを必要とせず、モニタ画面内の一部において上記対象をズーム領域に含めることができればよいというユーザの要望がある。
【０００７】
しかしながら、従来のテレビインターホンは、モニタ画面内において隣接するズーム領域の中心間隔が等間隔に設定されているので、モニタ画面のうち、拡大させたい対象の全てをズーム領域に含めたい部分では隣接するズーム領域の間隔が広すぎて、ユーザの要望を満足させることができなかった。
【０００８】
例えば水平画角が１２０°以上の広角レンズが子器に用いられる場合、広角レンズを用いて撮像された撮像画像には樽型歪みが発生し、図７に示すように撮像画像の周辺になるほど、一定の大きさに撮像される撮像範囲が大きくなってしまうが、このような撮像画像に対して、従来のテレビインターホンでは、図８に示すように、撮像画像が表示されるモニタ画面において隣接するズーム領域の中心間隔が等間隔に設定されているため、ズーム領域を隣接のズーム領域に切り替えたときに、切替前のズーム領域に含まれている撮像範囲から切替後のズーム領域に含まれている撮像範囲への移動量が、モニタ画面の中心に近いほど小さくなり、逆に、モニタ画面の周辺になるほど大きくなってしまう。
【０００９】
例えば、図８に示すように、中心点Ａのズーム領域から中心点Ｂのズーム領域に切り替わった場合（モニタ画面の中心付近におけるズーム領域の移動）と、中心点Ｃのズーム領域から中心点Ｄのズーム領域に切り替わった場合（モニタ画面の周辺付近におけるズーム領域の移動）とでは、モニタ画面内のズーム領域の移動量（中心間隔ＡＢの距離と中心間隔ＣＤの距離）は同じであるものの、中心点Ｃのズーム領域から中心点Ｄのズーム領域に切り替わった場合のほうが、中心点Ａのズーム領域から中心点Ｂのズーム領域に切り替わった場合に比べて、切替前のズーム領域に含まれている撮像範囲から切替後のズーム領域に含まれている撮像範囲への移動量は大きくなる。
【００１０】
このため、従来のテレビインターホンには、隣接するズーム領域への切替操作による実際の撮像範囲の移動量がモニタ画面の位置によって変わることから、ユーザに違和感を与えてしまっていた。
【００１１】
また、他の例として、撮像対象は一般的に撮像画像の中心付近に撮像されることが多いが、従来のテレビインターホンには、このような撮像画像の中心付近に撮像された撮像対象に対して、ズーム領域の間隔を細かくして、撮像対象が含まれるズーム領域を的確に指定して切り出すことができなかった。
【００１２】
上記のような従来のテレビインターホンに発生する問題の解決策として、指定可能なズーム領域の数を増やすことが考えられるが、このようにすると、既述したように、所望のズーム領域への移動に時間がかかってしまうという別の問題が発生してしまう。
【００１３】
本発明は上記の点に鑑みて為されたものであり、その目的は、ユーザの要望に応じて拡大表示させたい対象をズーム領域に含めることができるテレビインターホンを提供することにある。
【課題を解決するための手段】
【００１４】
請求項１の発明は、撮像手段と、前記撮像手段で撮像された撮像画像を表示するモニタ画面と、前記モニタ画面内にそれぞれが異なる中心位置となるように設けられ同じ大きさを有する複数のズーム領域の中からいずれか１つのズーム領域を指定するズーム領域指定手段と、前記ズーム領域指定手段で指定されたズーム領域の画像を前記撮像画像から切り出す切出し手段と、前記切出し手段で切り出されたズーム領域の画像を前記モニタ画面に拡大表示させる表示制御手段とを備え、前記モニタ画面内に設けられた前記複数のズーム領域が、前記モニタ画面内の基準点を通って左右方向に延びる第１の基準線からの上下方向の距離に応じて、隣接する２つのズーム領域の中心間隔を異ならせるとともに、前記基準点を通って上下方向に延びる第２の基準線からの左右方向の距離に応じて、隣接する２つのズーム領域の中心間隔を異ならせるように設定されることを特徴とする。
【００１５】
請求項２の発明は、請求項１の発明において、前記撮像手段が広角レンズを有し、前記基準点が前記撮像手段の光軸となる点であり、前記第１の基準線からの上下方向の距離が長くなるにつれて、前記隣接する２つのズーム領域の中心間隔を狭めるとともに、前記第２の基準線からの左右方向の距離が長くなるにつれて、前記隣接する２つのズーム領域の中心間隔を狭めることを特徴とする。
【００１６】
請求項３の発明は、請求項１の発明において、前記第１の基準線からの上下方向の距離が長くなるにつれて、前記隣接する２つのズーム領域の中心間隔を広げるとともに、前記第２の基準線からの左右方向の距離が長くなるにつれて、前記隣接する２つのズーム領域の中心間隔を広げることを特徴とする。
【００１７】
請求項４の発明は、請求項３の発明において、前記基準点の位置を設定する設定手段を備えることを特徴とする。
【発明の効果】
【００１８】
請求項１の発明によれば、モニタ画面内にユーザの要望に沿ったズーム領域を設定することができるので、ユーザの要望に応じて拡大表示させたい対象をズーム領域に含めることができる。
【００１９】
請求項２の発明によれば、撮像画像に樽型歪みが発生した場合に、ズーム領域がモニタ画面の中心付近にあっても周辺にあっても、切替前のズーム領域に含まれる撮像範囲から切替後のズーム領域の撮像範囲への移動量を等しくすることができるので、ユーザの違和感をなくすことができる。
【００２０】
請求項３の発明によれば、ユーザが確認したい撮像対象は撮像画像の中心付近に映し出される場合が多く、このような場合に、撮像対象が中心に映るようにズーム領域の位置をきめ細かく調整することができる。
【００２１】
請求項４の発明によれば、例えばユーザが確認したい撮像対象の中心と撮像手段の光軸とがずれている場合に、第１の基準線及び第２の基準線が通る基準点を、上記光軸となる点から撮像対象が撮像されている点にオフセットさせてから、隣接する２つのズーム領域の中心間隔を設定することができるので、撮像対象が中心に映るようにズーム領域の位置をよりきめ細かく調整することができる。
【発明を実施するための最良の形態】
【００２２】
（実施形態１）
まず、実施形態１のテレビインターホンの構成について図１〜３を用いて説明する。このテレビインターホンは電子ズーム式のものであり、図１に示すように、例えば玄関などの宅外に設置されて来訪者（撮像対象）を撮像する子器（カメラ子器）１と、例えば宅内に設置されて子器１で撮像された撮像画像を表示する親機２と、子器１と親機２の間で信号の送受信を可能とする伝送線３とを備えている。
【００２３】
子器１は、水平画角が１２０°以上の広角レンズ１００を装着して来訪者を撮像する撮像部１０と、撮像部１０で撮像された撮像画像から後述のズーム領域指定部２２で指定されたズーム領域の画像を切り出す切出し部１１と、伝送線３を介して親機２との間で信号の送受信を行う子器側通信インタフェース部１２とを備えている。なお、本実施形態では、各ズーム領域のズーム倍率を２倍にしている。
【００２４】
撮像部１０は来訪者を撮像し、撮像画像のアナログ信号をＡ／Ｄ変換してデジタル画像信号を生成する。このデジタル画像信号は切出し部１１に出力される。
【００２５】
切出し部１１は、撮像部１０からデジタル画像信号が入力されると、親機２から子器側通信インタフェース部１２を介して後述の指定信号がない場合、入力されたデジタル画像信号をそのまま子器側通信インタフェース部１２に出力する。
【００２６】
これに対して、指定信号が入力されると、切出し部１１は、指定信号に含まれている位置情報（例えばズーム領域の中心座標）に対応するズーム領域の画像を撮像画像から切り出す。ズーム領域の画像を切り出した後、切出し部１１は、切り出した画像のデジタル画像信号を子器側通信インタフェース部１２に出力する。
【００２７】
子器側通信インタフェース部１２は、親機２から後述の指定信号を受信すると、受信した指定信号を切出し部１１に出力する。また、子器側通信インタフェース部１２は、切出し部１１から撮像画像及びズーム領域の画像に関するデジタル画像信号が入力されると、入力されたデジタル画像信号を親機２に出力する。
【００２８】
一方、親機２は、伝送線３を介して子器１との間で信号の送受信を行う親機側通信インタフェース部２０と、子器１の撮像部１０で撮像された撮像画像を表示するモニタ画面（例えば液晶画面など）２１０を有する画像表示部２１と、モニタ画面２１０内にそれぞれが異なる中心位置となるように設けられ同じ大きさを有する複数のズーム領域の中からいずれか１つのズーム領域を指定するズーム領域指定部２２と、親機側通信インタフェース部２０、画像表示部２１及びズーム領域指定部２２を制御する制御部２３とを備えている。
【００２９】
親機側通信インタフェース部２０は、制御部２３から入力された後述の指定信号を子器１に送信する。また、親機側通信インタフェース部２０は、子器１からデジタル画像信号を受信し、受信したデジタル画像信号を制御部２３に出力する。
【００３０】
画像表示部２１は、制御部２３からデジタル画像信号が入力されると、入力されたデジタル画像信号に基づいて、撮像部１０で撮像された撮像画像をモニタ画面２１０に表示し、又は切出し部１１で上記撮像画像から切り出されたズーム領域の画像を拡大してモニタ画面２１０に表示する。
【００３１】
ズーム領域指定部２２は、モニタ画面２１０内に設定された指定可能な複数のズーム領域に対して、ユーザがズーム領域を切り替える操作を行うごとに、操作信号を制御部２３に出力する。
【００３２】
制御部２３は、ズーム領域指定部２２から操作信号が入力されると、ズーム領域指定部２２で切り替えられたズーム領域の位置情報（例えば中心座標）を含む指定信号を生成し、この指定信号を親機側通信インタフェース部２０に出力する。また、制御部２３は、親機側通信インタフェース部２０からデジタル画像信号が入力されると、入力されたデジタル画像信号を画像表示部２１に出力し、子器１の撮像部１０で撮像された撮像画像、又は切出し部１１で切り出されたズーム領域の画像をモニタ画面２１０に拡大表示させる。
【００３３】
上記制御部２３は、画像表示部２１のモニタ画面２１０に設けられた指定可能な複数のズーム領域の位置設定を行う。図２に示すように、複数（図２では５×５個）のズーム領域の各中心点Ａ１１〜Ａ５５は、隣接する２つのズーム領域の中心間隔が不等間隔になるように設定されている。
【００３４】
具体的には、複数のズーム領域の中心点Ａ１１〜Ａ５５は、モニタ画面２１０内であって撮像部１０の光軸となる基準点Ａ３３を通って左右方向に延びる第１の基準線Ｌ１からの上下方向の距離に応じて、隣接する２つのズーム領域の中心間隔を異ならせるように設定されている。実施形態１では、撮像部１０の広角レンズ１００による樽型歪み特性に応じて、第１の基準線Ｌ１からの上下方向の距離が長くなるにつれて、隣接する２つのズーム領域の中心間隔を狭めるように設定されている。例えば中心点Ａ１２，Ａ２２，Ａ３２を用いて一例を示すと、第１の基準線Ｌ１近くにあるズーム領域の中心間隔（Ａ３２−Ａ２２）よりも、第１の基準線Ｌ１から離れているズーム領域の中心間隔（Ａ２２−Ａ１２）のほうが狭くなっている。つまり、中心間隔（Ａ３ａ−Ａ２ａ）よりも中心間隔（Ａ２ａ−Ａ１ａ）のほうが狭くなっている（ａ＝１〜５）。同様に、第１の基準線Ｌ１近くにあるズーム領域の中心間隔（Ａ３ａ−Ａ４ａ）よりも、第１の基準線Ｌ１から離れているズーム領域の中心間隔（Ａ４ａ−Ａ５ａ）のほうが狭くなっている（ａ＝１〜５）。
【００３５】
このとき、複数のズーム領域は、上下方向において隣接同士が一部重なるように設定されている。例えば中心点Ａ２２のズーム領域と中心点Ａ３２のズーム領域の場合、中心点Ａ２２のズーム領域の下側と中心点Ａ３２のズーム領域の上側とが重なっている。中心点Ａ１２のズーム領域と中心点Ａ２２のズーム領域の場合、中心間隔（Ａ１２−Ａ２２）が中心間隔（Ａ２２−Ａ３３）より狭くなっているため、さらに重なっている部分が多くなる。
【００３６】
一方、複数のズーム領域の中心点Ａ１１〜Ａ５５は、基準点Ａ３３を通って上下方向に延びる第２の基準線Ｌ２からの左右方向の距離に応じて、隣接する２つのズーム領域の中心間隔を異ならせるように設定されている。実施形態１では、撮像部１０の広角レンズ１００による樽型歪み特性に応じて、第２の基準線Ｌ２からの左右方向の距離が長くなるにつれて、隣接する２つのズーム領域の中心間隔を狭めるように設定されている。例えば中心点Ａ４３，Ａ４４，Ａ４５を用いて一例を示すと、第２の基準線Ｌ２近くにあるズーム領域の中心間隔（Ａ４３−Ａ４４）よりも、第２の基準線Ｌ２から離れているズーム領域の中心間隔（Ａ４４−Ａ４５）のほうが狭くなっている。つまり、中心間隔（Ａｂ３−Ａｂ４）よりも中心間隔（Ａｂ４−Ａｂ５）のほうが狭くなっている（ｂ＝１〜５）。同様に、第１の基準線Ｌ１近くにあるズーム領域の中心間隔（Ａｂ３−Ａｂ２）よりも、第１の基準線Ｌ１から離れているズーム領域の中心間隔（Ａｂ２−Ａｂ１）のほうが狭くなっている（ｂ＝１〜５）。
【００３７】
このとき、複数のズーム領域は、左右方向においても隣接同士が一部重なるように設定されている。例えば中心点Ａ４３のズーム領域と中心点Ａ４４のズーム領域の場合、中心点Ａ４３のズーム領域の右側と中心点Ａ４４のズーム領域の左側とが重なっている。中心点Ａ４４のズーム領域と中心点Ａ４５のズーム領域の場合、中心間隔（Ａ４３−Ａ４４）が中心間隔（Ａ４４−Ａ４５）より狭くなっているため、さらに重なっている部分が多くなる。
【００３８】
なお、本実施形態では、指定可能なズーム領域を５×５個としているが、これよりも多くのズーム領域を指定可能とする場合においても、第１の基準線Ｌ１及び第２の基準線Ｌ２からの距離が長くなるほど、つまり撮像画像の周辺になるほど、隣接するズーム領域の中心間隔が狭くなるように、各ズーム領域の位置を設定すればよい。
【００３９】
次に、本実施形態の動作について説明する。まず、子器１の撮像部１０が来訪者を撮像し、デジタル画像信号を生成する。このデジタル画像信号は、切出し部１１、子器側通信インタフェース部１２を介して親機２に送信される。親機２では、制御部２３が親機側通信インタフェース部２０を介してデジタル信号を取得し、画像表示部２１に出力する。画像表示部２１は、デジタル画像信号を取得すると、制御部２３の制御によって、デジタル画像信号に基づく撮像画像をモニタ画面２１０に表示する。つまり、モニタ画面２１０には来訪者が映し出される。
【００４０】
このとき、在宅者は、モニタ画面２１０に表示された撮像画像を見ることになるが、モニタ画面２１０には撮像画像の全てが表示されているので、来訪者の姿が小さく、来訪者が誰であるのか判断できない場合がある。この場合、在宅者は、モニタ画面２１０に表示された撮像画像を見ながら、ズーム領域指定部２２を操作してズーム領域を切り替えて来訪者が含まれるズーム領域を指定する。ズーム領域指定部２２は、ズーム領域を指定すると操作信号を制御部２３に出力する。制御部２３は、操作信号が入力されると、ズーム領域指定部２２で指定されたズーム領域の位置情報を含む指定信号を生成する。この指定信号は、親機側通信インタフェース部２０から子器１に送信される。
【００４１】
子器１では、切出し部１１が、子器側通信インタフェース部１２を介して指定信号を取得すると、指定信号に含まれている位置情報に対応するズーム領域の画像を撮像画像から切り出す。切り出されたズーム領域の画像に関するデジタル画像信号は、子器側通信インタフェース部１２から親機２に送信される。
【００４２】
親機２では、制御部２３が、親機側通信インタフェース部２０を介してデジタル画像信号を取得し、画像表示部２１を制御して、上記デジタル画像信号に基づくズーム領域の画像をモニタ画面２１０に拡大表示させる。
【００４３】
以上、本実施形態によれば、モニタ画面２１０内にユーザの要望に沿ったズーム領域を設定することができるので、ユーザの要望に応じて拡大表示させたい対象をズーム領域に含めることができる。特に、指定可能な複数のズーム領域の中心間隔を撮像部１０の光軸と重なる基準点Ａ３３から遠ざかるほど狭くすることによって、撮像画像に樽型歪みが発生した場合に、ズーム領域がモニタ画面２１０の中心付近にあっても周辺にあっても、切替前のズーム領域に含まれる撮像範囲から切替後のズーム領域の撮像範囲への移動量を等しくすることができるので、ユーザの違和感をなくすことができる。
【００４４】
（実施形態２）
ところで、テレビインターホンの使用状態によっては、来訪者の立ち位置が撮像部１０の撮像範囲の中央付近つまりモニタ画面２１０の中央付近であると限定することができ、モニタ画面２１０の中央部付近でズーム領域を細かく調整し、撮像画像の周辺付近は粗い調整でよいという場合がある。
【００４５】
そこで、実施形態２のテレビインターホンでは、図３に示すように、撮像画像内における撮像部１０の光軸と重なる基準点Ａ３３を通って左右方向に延びる第１の基準線Ｌ１からの上下方向の距離が長くなるにつれて、隣接する２つのズーム領域の中心間隔を広げるように設定されるとともに、撮像部１０の光軸と重なる基準点Ａ３３を通って上下方向に延びる第２の基準線Ｌ２からの左右方向の距離が長くなるにつれて、隣接する２つのズーム領域の中心間隔を広げるように設定されている。なお、実施形態１と同様の構成要素については、同一の符号を付して説明を省略する。
【００４６】
本実施形態の切出し部１１は、第１の基準線Ｌ１近くにあるズーム領域の中心間隔（Ａ３２−Ａ２２）よりも、第１の基準線Ｌ１から離れているズーム領域の中心間隔（Ａ２２−Ａ１２）のほうが広くなっている。つまり、中心間隔（Ａ３ａ−Ａ２ａ）より中心間隔（Ａ２ａ−Ａ１ａ）のほうが広くなっている（ａ＝１〜５）。同様に、第１の基準線Ｌ１近くにあるズーム領域の中心間隔（Ａ３ａ−Ａ４ａ）よりも、第１の基準線Ｌ１から離れているズーム領域の中心間隔（Ａ４ａ−Ａ５ａ）のほうが広くなっている（ａ＝１〜５）。
【００４７】
また、本実施形態の切出し部１１は、第２の基準線Ｌ２近くにあるズーム領域の中心間隔（Ａ４３−Ａ４４）よりも、第２の基準線Ｌ２から離れているズーム領域の中心間隔（Ａ４４−Ａ４５）のほうが広くなっている。つまり、中心間隔（Ａｂ３−Ａｂ４）より中心間隔（Ａｂ４−Ａｂ５）のほうが広くなっている（ｂ＝１〜５）。同様に、第１の基準線Ｌ１近くにあるズーム領域の中心間隔（Ａｂ３−Ａｂ２）よりも、第１の基準線Ｌ１から離れているズーム領域の中心間隔（Ａｂ２−Ａｂ１）のほうが広くなっている（ｂ＝１〜５）。
【００４８】
以上、本実施形態によれば、ユーザが確認したい来訪者（撮像対象）は撮像画像の中心付近に映し出される場合が多く、このような場合に、ズーム領域の中心間隔を撮像部１０の光軸から遠ざかるほど広げることによって、来訪者が中心に映るようにズーム領域の位置をきめ細かく調整することができる。
【００４９】
（実施形態３）
実施形態３のテレビインターホンは、図４に示すように、子器１ａに撮像部１０と、切出し部１１と、子器側通信インタフェース部１２とを実施形態２の子器１（図１参照）と同様に備えるが、第１の基準線Ｌ１及び第２の基準線Ｌ２を通る基準点Ａ３３の位置を、撮像部１０の光軸となる点とは異なる位置に設定する設定部１３を子器１ａに備える点で、実施形態２と相違している。なお、実施形態２と同様の構成要素については、同一の符号を付して説明を省略する。
【００５０】
設定部１３は例えばＤＩＰスイッチから構成され、上記ＤＩＰスイッチへのユーザによる操作によって、基準点Ａ３３を例えば来訪者の顔の位置などに移動させるようにした場合、上記操作に応じて設定信号を生成する。この設定信号は子器側通信インタフェース部１２を介して親機２に送信される。親機２では、制御部２３が設定信号に基づいて基準点Ａ３３を移動させる。
【００５１】
本実施形態において、設定部１３で基準点Ａ３３が移動した場合の各ズーム領域の中心点Ａ１１〜Ａ５５を図５に示す。図５では、基準点Ａ３３が実施形態２の基準点Ａ３３（図３参照）より上方に移動させた場合について示している。基準点Ａ３３が上方に移動したことによって、第１の基準線Ｌ１も実施形態２の第１の基準線Ｌ１（図３参照）より上方に位置している。そして、本実施形態の切出し部１１は、複数のズーム領域の中心点Ａ１１〜Ａ５５を、上記のような位置にある第１の基準線Ｌ１からの上下方向の距離が長くなるにつれて、隣接する２つのズーム領域の中心間隔を広げるように設定している。図５より、第１の基準線Ｌ１近くにあるズーム領域の中心間隔（Ａ３ａ−Ａ２ａ）よりも、第１の基準線Ｌ１から離れているズーム領域の中心間隔（Ａ２ａ−Ａ１ａ）のほうが広くなっている（ａ＝１〜５）。同様に、第１の基準線Ｌ１近くにあるズーム領域の中心間隔（Ａ３ａ−Ａ４ａ）よりも、第１の基準線Ｌ１から離れているズーム領域の中心間隔（Ａ４ａ−Ａ５ａ）のほうが広くなっている（ａ＝１〜５）。
【００５２】
ところで、本実施形態では、基準点Ａ３３が撮像画像の中心より上方に位置しているため、撮像画像における第１の基準線Ｌ１より上側の領域よりも下側の領域のほうが広くなっている。このため、上側にあるズーム領域の中心間隔（Ａ３ａ−Ａ２ａ）よりも下側にあるズーム領域の中心間隔（Ａ３ａ−Ａ４ａ）のほうが広く、同様に、中心間隔（Ａ２ａ−Ａ１ａ）よりも中心間隔（Ａ４ａ−Ａ５ａ）のほうが広くなっている。
【００５３】
なお、設定部１３で基準点Ａ３３の位置が変更されなかった場合、各ズーム領域の中心点Ａ１１〜Ａ５５は実施形態２と同様である（図３参照）。
【００５４】
以上、本実施形態によれば、例えばユーザが確認したい来訪者（撮像対象）の中心と撮像部１０の光軸とがずれている場合に、第１の基準線Ｌ１及び第２の基準線Ｌ２が通る基準点Ａ３３を、上記光軸となる点から来訪者が撮像されている点にオフセットさせてから、隣接する２つのズーム領域の中心間隔を設定することができるので、来訪者が中心に映るようにズーム領域の位置をよりきめ細かく調整することができる。
【００５５】
例えば子器１ａが地面から１２０ｃｍ〜１４０ｃｍの高さに取り付けられた場合、一般成人の顔はモニタ画面２１０の上方に撮像されることが多い。このような場合、実施形態２ではモニタ画面２１０の中心を基準点Ａ３３（図３参照）としてズーム領域の中心間隔の設定を行っていたが、実施形態３では、基準点Ａ３３の位置を一般成人の顔の位置に移動させ、移動した基準点Ａ３３に対して、第１の基準線Ｌ１及び第２の基準線Ｌ２を設定し、この第１の基準線Ｌ１及び第２の基準線Ｌ２に近いほどズーム領域の中心間隔を狭くし、モニタ画面２１０の周辺になるほどズーム領域の中心間隔を広くすることができる。これにより、実際に来訪者の顔が映ることが多い位置の付近では細かく位置調整ができ、顔が映ることの少ない周辺部では粗く調整することになり、ユーザの利便性を向上させることができる。
【００５６】
なお、実施形態３の変形例として、設定部１３への操作によって、制御部２３は基準点Ａ３３を左右方向に移動させて、指定可能な複数のズーム領域を設定してもよい。
【００５７】
また、実施形態３の他の変形例として、子器１ａに設けられた設定部１３とともに、又は設定部１３に代えて、親機２が、上記設定部１３と同様の機能を有する設定部を備えてもよい。親機２に設定部を設けた場合、親機２の設定部で設定された設定信号が制御部２３に出力され、制御部２３が設定信号に応じて、基準点Ａ３３を移動させて、指定可能な複数のズーム領域を設定することになる。
【００５８】
（実施形態４）
実施形態４のテレビインターホンは、図４に示すものであり、制御部２３が、実施形態１のように、第１の基準線Ｌ１からの上下方向の距離が長くなるにつれて、隣接する２つのズーム領域の中心間隔を狭めるとともに、第２の基準線Ｌ２からの左右方向の距離が長くなるにつれて、隣接する２つのズーム領域の中心間隔を狭めるように設定する機能を有するとともに、実施形態２にように、第１の基準線Ｌ１からの上下方向の距離が長くなるにつれて、隣接する２つのズーム領域の中心間隔を広げるとともに、第２の基準線Ｌ２からの左右方向の距離が長くなるにつれて、隣接する２つのズーム領域の中心間隔を広げるように設定する機能を有し、この２つの機能を切り替える切替手段を備えるものである。さらに、本実施形態のテレビインターホンは、実施形態３と同様に設定部１３を備えている。
【００５９】
以上、本実施形態によれば、ユーザの要望や撮像画像、目的に応じて、各ズーム領域の中心点Ａ１１〜Ａ５５の位置を適宜変更することができる。
【００６０】
なお、実施形態４の変形例として、設定部１３を備えないものであってもよい。
【図面の簡単な説明】
【００６１】
【図１】実施形態１，２のブロック図である。
【図２】同上のズーム領域を示す図である。
【図３】実施形態２のズーム領域を示す図である。
【図４】実施形態３，４のブロック図である。
【図５】実施形態３同上のズーム領域を示す図である。
【図６】従来例のズーム領域を示す図である。
【図７】樽型歪みが発生した撮像画像を示す図である。
【図８】樽型歪みの問題点を説明するための説明図である。
【符号の説明】
【００６２】
１，１ａ  子器
１０  撮像部
１１  切出し部
１３  設定部
２  親機
２１  画像表示部
２１０  モニタ画面
２２  ズーム領域指定部
２３  制御部
【図１】
2008294842.tif 000003
【図２】
2008294842.tif 000004
【図３】
2008294842.tif 000005
【図４】
2008294842.tif 000006
【図５】
2008294842.tif 000007
【図６】
2008294842.tif 000008
【図８】
2008294842.tif 000009
【図７】
2008294842.tif 000010